(57)【要約】      （修正有）【課題】自転車又はバイクに乗るときに、頭を保護するために使用するヘルメットを提供する。【解決手段】ヘルメットは、本体１０及びシールド２０を有し、本体は、前面に複数の第一磁性部材１１が間隔をおいて埋設され、前面における第一磁性部材と対応する箇所にそれぞれ嵌合凹部１２が凹設され、シールドは、着脱可能に本体の前面に取り付けられ、プレート２１及び複数の第二磁性部材２２を備え、それらの第二磁性部材は、間隔をおいてプレートの本体側の面に設置され、第一磁性部材の吸着力によって嵌合凹部に嵌合されるものである。【選択図】図１
0003197265.tif 000002
【実用新案登録請求の範囲】
【請求項１】
前面に複数の第一磁性部材が間隔をおいて埋設されると共に、前面における第一磁性部材と対応する箇所にそれぞれ嵌合凹部が凹設される本体と、
着脱可能に本体の前面に取り付けられ、プレート及び複数の第二磁性部材を備え、それらの第二磁性部材は、間隔をおいてプレートの本体側の面に設置され、前記第一磁性部材の吸着力によって嵌合凹部に嵌合されるシールドと、を有することを特徴とするヘルメット。
【請求項２】
前記嵌合凹部の底面に端面が設けられると共に、内周面に該端面と直交する環状壁が設けられ、
前記第二磁性部材が端面に向かって嵌合凹部に嵌め込まれることを特徴とする請求項１に記載のヘルメット。
【請求項３】
前記プレートの前面にフレームが着脱可能に取り付けられ、該フレームのプレート側の面に複数の第三磁性部材が間隔をおいて設置され、該第三磁性部材は、吸着力によって第二磁性部材に組み合わされることを特徴とする請求項１または２に記載のヘルメット。
【請求項４】
前記フレームの末端に設置穴が形成されることを特徴とする請求項３に記載のヘルメット。
【考案の詳細な説明】
【技術分野】
【０００１】
本考案は、特に自転車又はバイクに乗るときに、頭を保護するために使用するヘルメットに関するものである。
【背景技術】
【０００２】
ヘルメットは通常、自転車又はバイクに乗るときに、頭部を保護するために着用するものである。従来のヘルメットは、本体とシールドを備え、該本体の前面に第一掛止部材が設けられ、該シールドの本体側の面に第二掛止部材が設けられ、その第二掛止部材が第一掛止部材に掛合することによって、シールドを本体に取り付ける設計である。しかしながら、その第一掛止部材は、本体の表面に露出するように設置されていることから、外観に劣ると共に、金属製の第一掛止部材に錆びが生じ易いという問題があった。
【０００３】
上述の問題を解決するために、その後、既存のヘルメットにおける本体の前面に複数の第一磁性部材が埋設されると共に、シールドの本体側の面に複数の第二磁性部材が突出するように設置され、その第二磁性部材が第一磁性部材に吸着することによって、シールドを本体に取り付ける設計が案出された。
【考案の概要】
【考案が解決しようとする課題】
【０００４】
しかしながら、前記ヘルメットは、本体の前面に第一磁性部材が埋設されることから、平坦な表面を構成しているが、シールドの第二磁性部材が表面から突出するように設置されることから、シールドと本体との間に大きい隙間を有すると共に、ヘルメットが外力による衝撃を受けると、第二磁性部材が第一磁性部材から脱落する恐れがあるので、改良する必要があった。
【課題を解決するための手段】
【０００５】
本考案に係るヘルメットは、
前面に複数の第一磁性部材が間隔をおいて埋設されると共に、前面における第一磁性部材と対応する箇所にそれぞれ嵌合凹部が凹設される本体と、
着脱可能に本体の前面に取り付けられ、プレート及び複数の第二磁性部材を備え、それらの第二磁性部材は、間隔をおいてプレートの本体側の面に設置され、前記第一磁性部材の吸着力によって嵌合凹部に嵌合されるシールドと、を有するものである。
【０００６】
かかるヘルメットにおいて、
前記嵌合凹部の底面に端面が設けられると共に、内周面に該端面と直交する環状壁が設けられ、
前記第二磁性部材が端面に向かって嵌合凹部に嵌め込まれることが好ましい。
【０００７】
かかるヘルメットにおいて、
前記プレートの前面にフレームが着脱可能に取り付けられ、該フレームのプレート側の面に複数の第三磁性部材が間隔をおいて設置され、該第三磁性部材は、吸着力によって第二磁性部材に組み合わされることが好ましい。
【０００８】
かかるヘルメットにおいて、前記フレームの末端に設置穴が形成されることが好ましい。
【考案の効果】
【０００９】
本考案に係るヘルメットには、以下に示すようなメリットを有する。
１．本体の前面に第一磁性部材が埋設されると共に、第一磁性部材と対応する箇所に嵌合凹部が凹設されることから、そのシールドの第二磁性部材が第一磁性部材と吸着しながら嵌合凹部に嵌め込まれる。このように、第一磁性部材は、本体の表面から突出しないので、シールドと本体との間の隙間を小さくすることができる。
２．また、その第二磁性部材は、本体の嵌合凹部に嵌め込まれることから、シールドをしっかりと本体に組み合わせることができるので、外力による衝撃を受けても簡単に脱落することはない。
３．さらに、そのシールドの前面に、末端に設置穴を有するフレームを取り付けられれば、該設置穴にドライブレコーダーを取り付けることができるので、実用性を向上させることができる。
【図面の簡単な説明】
【００１０】
【図１】本考案に係るヘルメットの第一実施例の分解斜視図である。
【図２】本考案に係るヘルメットの第一実施例の斜視図である。
【図３】本考案に係るヘルメットの第一実施例の部分拡大断面図である。
【図４】本考案に係るヘルメットの第二実施例の分解斜視図である。
【図５】本考案に係るヘルメットの側面視斜視図である。
【図６】本考案に係るヘルメットにおいて、シールドを本体から取り外す操作を示す側面視斜視図である。
【考案を実施するための形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１乃至図３に示すように、本考案に係るヘルメットの第一実施例は、本体１０及びシールド２０を有する。
【００１３】
前記本体１０は、前面に複数の第一磁性部材１１が間隔をおいて埋設されると共に、前面における第一磁性部材１１と対応する箇所にそれぞれ嵌合凹部１２が凹設され、さらに、該嵌合凹部１２の底面に端面１３が設けられると共に、内周面に該端面１３と直交する環状壁１４が設けられる。
【００１４】
前記シールド２０は、着脱可能に本体１０の前面に取り付けられ、プレート２１及び複数の第二磁性部材２２を備え、それらの第二磁性部材２２は、間隔をおいてプレート２１の本体１０側の面に設置され、前記第一磁性部材１１の吸着力によって嵌合凹部１２に嵌合され、なお、そのとき第二磁性部材２２は、端面１３に向かって嵌合凹部１２に組み合わされる。
【００１５】
図４に示すように、本考案に係るヘルメットの第二実施例はさらに、フレーム３０を有し、そのフレーム３０は、磁性部材の吸着力によって、着脱可能にプレート２１の前面に取り付けられる。また、前記フレーム３０のプレート２１側の面、複数の第三磁性部材３１が間隔をおいて設置され、該第三磁性部材３１は、吸着力によって第二磁性部材２２に組み合わされる。
更に、そのフレーム３０の末端に設置穴３２が形成され、該設置穴３２には、ドライブレコーダーを取り付けることができる。
【００１６】
このように、本考案に係るヘルメットを装着すると、乗者の頭部を保護できると共に、シールドを使用すると、風や雨を遮って目を保護できるだけではなく、サングラスとしても使用できる。
【００１７】
図５及び図６に示すように、使用者がシールド２０を取り外す時は、プレート２１の上端を前方へ引っ張って、末端近傍の第二磁性部材２２を嵌合凹部１２から離脱させれば、シールド２０を本体１０から取り外すことができる。
【００１８】
上述したように、本考案に係るヘルメットは、その本体１０の前面に嵌合凹部１２が凹設され、その嵌合凹部１２にシールド２０の第二磁性部材２２を嵌め込むことができ、この時、第二磁性部材２２は、本体１０の前面に直接取り付けることができるので、シールド２０のプレート２１と本体１０との間の隙間を小さくすることができる。
【００１９】
さらに、そのシールド２０は、第二磁性部材２２を介して本体１０の嵌合凹部１２に係合されることから、シールド２０をしっかりと本体１０に組み合わせられるので、本体１０から脱落することはない。また、シールド２０を本体１０から取り外す時には、単にシールド２０の一端を引っ張って本体１０から取り外せばよい。
【符号の説明】
【００２０】
１０  本体
１１  第一磁性部材
１２  嵌合凹部
１３  端面
１４  環状壁
２０  シールド
２１  プレート
２２  第二磁性部材
３０  フレーム
３１  第三磁性部材
３２  設置穴
【図１】
0003197265.tif 000003
【図２】
0003197265.tif 000004
【図３】
0003197265.tif 000005
【図４】
0003197265.tif 000006
【図５】
0003197265.tif 000007
【図６】
0003197265.tif 000008